(57)【特許請求の範囲】
【請求項１】
エレベーターの乗場に設けられた行先階登録装置に対する行先階の入力操作に基づいて、複数のかごの中から割当かごを決定するかご割当部と、
行先階登録装置に対して行先階の入力操作が行われた場合に、割当かごを示す情報及び当該行先階登録装置の設置階での乗車予定人数を当該行先階登録装置に表示させる報知制御部と、
を備え、
前記報知制御部は、行先階登録装置の操作者自身を明示して乗車予定人数を表示させるエレベーターの群管理装置。
【請求項２】
前記報知制御部は、行先階登録装置に対する同一の行先階の入力操作が途切れずに一定期間以上継続されたら、当該行先階登録装置の操作者自身はグループであることを明示し、当該入力操作が継続された期間に応じて、当該行先階登録装置に表示される乗車予定人数のうち当該グループの人数を増加させる請求項１に記載のエレベーターの群管理装置。
【請求項３】
前記報知制御部は、行先階登録装置に対して行先階の入力操作が行われた場合に、乗車予定人数として、当該入力操作に基づく人数と当該入力操作よりも前に当該行先階登録装置に対して行われた他の入力操作に基づく同時乗車人数とを別個に当該行先階登録装置に表示させ、表示される人数を当該入力操作に連動して増加させる請求項１又は２に記載のエレベーターの群管理装置。
【請求項４】
前記報知制御部は、行先階登録装置に対して行先階の入力操作が行われた場合に、当該行先階登録装置の設置階への割当かごの到着時における乗車済人数として、当該階で降車する人数と当該階で降車しない人数とを別個に当該行先階登録装置に表示させる請求項１から３のいずれか１項に記載のエレベーターの群管理装置。
【請求項５】
前記かご割当部は、行先階登録装置の設置階への割当かごの到着時における乗車済人数のうち当該階で降車しない人数と乗車予定人数との合計が割当かごの乗車定員を超過した場合に、割当かごを変更する請求項１から４のいずれか１項に記載のエレベーターの群管理装置。
【請求項６】
前記報知制御部は、行先階登録装置に表示される乗車予定人数を増加させる際に、人数を示す視覚的な記号をアニメーションさせる請求項１から５のいずれか１項に記載のエレベーターの群管理装置。
【発明の詳細な説明】
【技術分野】
【０００１】
本発明は、エレベーターの群管理装置に関する。
【背景技術】
【０００２】
従来、乗場に設けられた行先階登録装置に対する操作に基づいて複数のエレベーターを制御する群管理装置が記載されている。このような群管理装置として、例えば、下記特許文献１に記載されたものがある。
【先行技術文献】
【特許文献】
【０００３】
【特許文献１】日本特許第５５０４０６０号公報
【発明の概要】
【発明が解決しようとする課題】
【０００４】
上記のような群管理装置は、例えば、行先階登録装置に対する操作が行われた回数を利用者の人数としてカウントする。しかしながら、行先階登録装置に対する操作が人数のカウントに影響を与えることを利用者が認識しているとは限らない。このため、例えば、同じ階に移動しようとする複数の利用者のうち１人だけが操作を行った場合、正確な人数がカウントされない。この場合、適切に複数のエレベーターを制御することができない。【０００５】
本発明は、上記の課題を解決するためになされた。その目的は、行先階登録装置に対する操作が人数のカウントに影響を与えることを利用者に認識させることができるエレベーターの群管理装置を提供することである。
【課題を解決するための手段】
【０００６】
本発明に係るエレベーターの群管理装置は、エレベーターの乗場に設けられた行先階登録装置に対する行先階の入力操作に基づいて、複数のかごの中から割当かごを決定するかご割当部と、行先階登録装置に対して行先階の入力操作が行われた場合に、割当かごを示す情報及び当該行先階登録装置の設置階での乗車予定人数を当該行先階登録装置に表示させる報知制御部と、を備え、報知制御部は、行先階登録装置の操作者自身を明示して乗車予定人数を表示させるものである。
【発明の効果】
【０００７】
本発明において、報知制御部は、行先階登録装置に対する入力操作に連動して、当該行先階登録装置に表示される乗車予定人数を増加させる。このため、行先階登録装置に対する操作が人数のカウントに影響を与えることを利用者に認識させることができる。
【図面の簡単な説明】
【０００８】
【図１】実施の形態１における行先階登録装置の概観図の一例である。
【図２】実施の形態１における群管理システムの機能ブロック図である。
【図３】実施の形態１における群管理装置の動作例を示すフローチャートである。
【図４】実施の形態１における行先階登録装置の動作を説明するための第１の図である。
【図５】実施の形態１における行先階登録装置の動作を説明するための第２の図である。
【図６】実施の形態１における行先階登録装置の動作を説明するための第３の図である。
【図７】実施の形態１における行先階登録装置の動作を説明するための第４の図である。
【図８】実施の形態１における行先階登録装置の動作を説明するための第５の図である。
【図９】実施の形態１における行先階登録装置の動作を説明するための第６の図である。
【図１０】実施の形態１における行先階登録装置の動作を説明するための第７の図である。
【図１１】実施の形態１における行先階登録装置の動作を説明するための第８の図である。
【図１２】実施の形態１における行先階登録装置の動作を説明するための第９の図である。
【図１３】実施の形態１における行先階登録装置の動作を説明するための第１０の図である。
【図１４】実施の形態１における行先階登録装置に表示される内容が変化する様子を示す第１の図である。
【図１５】実施の形態１における行先階登録装置に表示される内容が変化する様子を示す第２の図である。
【図１６】実施の形態１における行先階登録装置に表示される内容が変化する様子を示す第３の図である。
【図１７】実施の形態１における行先階登録装置に表示される内容が変化する様子を示す第４の図である。
【図１８】実施の形態１における行先階登録装置に表示される内容が変化する様子を示す第５の図である。
【図１９】実施の形態１における行先階登録装置に表示される内容が変化する様子を示す第６の図である。
【図２０】実施の形態１における行先階登録装置の概観図の他の例である。
【図２１】群管理装置のハードウェア構成図である。
【発明を実施するための形態】
【０００９】
添付の図面を参照して、エレベーターの群管理システムを詳細に説明する。各図では、同一又は相当する部分に同一の符号を付している。重複する説明は、適宜簡略化あるいは省略する。
【００１０】
実施の形態１．
図１は、実施の形態１における行先階登録装置の概観図の一例である。
【００１１】
行先階登録装置１は、例えば、複数のエレベーターに乗降可能な乗場に設けられる。行先階登録装置１は、例えば、エレベーターのかごが停止可能な階の全てに設けられてもよい。行先階登録装置１は、例えば、１つ又は複数の特定の階にのみ設けられてもよい。
【００１２】
図１に示すように、行先階登録装置１は、操作部２及び表示部３を有する。操作部２は、例えば、押しボタン又はタッチパネル等である。表示部３は、例えば、液晶ディスプレイ又はタッチパネル等である。行先階登録装置１は、例えば、図示しないスピーカー等を有してもよい。
【００１３】
図１に示す操作部２は、複数のボタンを有する。個々のボタンは、例えば、エレベーターのかごが停止可能な階のそれぞれに対応して設けられている。エレベーターの利用者は、例えば、行きたい階に対応するボタンを押す。つまり、操作部２は、利用者による行先階の入力操作を受け付ける。
【００１４】
表示部３は、操作部２に対する入力操作を行っている利用者の視界に入る位置に設けられている。表示部３は、例えば、行先階登録装置１の筐体において、操作部２と同じ面に設けられている。表示部３は、例えば、行先階登録装置１の筐体において、操作部２と隣接して設けられている。
【００１５】
図２は、実施の形態１における群管理システムの機能ブロック図である。
【００１６】
図２に示すように、群管理システムは、行先階登録装置１及び群管理装置４を備える。群管理装置４は、例えば、複数の行先階登録装置１と電気的に接続されている。群管理装置４は、例えば、図示しない複数のエレベーターのそれぞれの制御装置と電気的に接続されている。群管理装置４は、複数のエレベーターの運行を管理する。
【００１７】
図２に示すように、群管理装置４は、かご割当部５、かご状態検出部６、人数記憶部７及び報知制御部８を備える。
【００１８】
かご割当部５は、行先階登録装置１に対する行先階の入力操作が行われると、当該行先階登録装置１の設置階から当該行先階へ移動するための行先呼びを登録する。このとき、かご割当部５は、行先階の入力操作に基づいて、当該入力操作を行っている操作者を含めた当該行先階へ移動する人数をカウントする。以下、行先階の入力操作に基づいてかご割当部５によってカウントされる人数を「行先呼び人数」とも呼ぶ。
【００１９】
かご割当部５は、例えば、同一の行先階の入力操作が途切れずに継続された期間に応じて行先呼び人数をカウントする。かご割当部５は、例えば、入力操作が行われた時間が１秒未満である時点では、行先呼び人数を１人としてカウントする。かご割当部５は、例えば、入力操作が１秒継続されるたびに、行先呼び人数を１人ずつ加算する。この場合、例えば、５階に対応するボタンが３秒以上４秒未満の間操作されると、５階へ移動する人数は４人としてカウントされる。
【００２０】
かご割当部５は、行先階登録装置１に対する行先階の入力操作が行われると、後述する「かご状態」をかご状態検出部６から取得する。かご割当部５は、行先階登録装置１に対する行先階の入力操作が行われると、後述する「人数情報」を人数記憶部７から取得する。かご割当部５は、各かごの「かご状態」、各かごの「人数情報」及び行先呼び人数に基づいて、複数のかごの中から最適な割当かごを決定する。なお、割当かごを決定するということには、行先呼び人数の変化に応じて割当かごを変更することも含まれる。
【００２１】
最適な割当かごの決定とは、例えば、群管理される複数のエレベーター全体の待ち時間が最小化されるように、呼びに対してかごを割り当てることでもよい。最適な割当かごの決定とは、例えば、かごの走行エネルギー消費が最小化されるように、呼びに対してかごを割り当てることでもよい。最適な割当かごの決定とは、例えば、予め設定された何らかの指標に基づいて、呼びに対してかごを割り当てることでもよい。
【００２２】
かご状態検出部６は、各かごの「かご状態」を検出する。「かご状態」には、例えば、現在位置、走行方向及び割当済行先呼び等の情報が含まれる。かごの現在位置は、上下方向における当該かごの現在の位置を示す。かごの走行方向は、当該かごが上又は下に移動していること、或いは、停止していることを示す。かごの割当済行先呼びは、当該かごが割当かごとして決定されている行先呼びの乗車階及び行先階を示す。乗車階は、当該行先階の入力操作が行われた行先階登録装置１の設置階である。
【００２３】
人数記憶部７は、各かごの「人数情報」を記憶する。かごの「人数情報」には、例えば、当該かごに現在乗車中の人数、各階で当該かごに乗車する予定の人数及び各階で当該かごから降車する予定の人数等の情報が含まれる。
【００２４】
かご割当部５は、行先呼びに応答する割当かごが決定されると、行先呼び情報を出力する。行先呼び情報には、例えば、乗車階、行先階、割当かご及び行先呼び人数等の情報が含まれる。
【００２５】
かご状態検出部６は、かご割当部５から出力された行先呼び情報に基づいて、「かご状態」を更新する。かご状態検出部６は、例えば、行先呼び情報に基づいて、割当済行先呼びの内容を更新する。
【００２６】
人数記憶部７は、かご割当部５から出力された行先呼び情報に基づいて、「人数情報」を更新する。人数記憶部７は、例えば、行先呼び情報に基づいて、各階で割当かごに乗車する人数及び各階で割当かごから降車する人数を更新する。また、人数記憶部７は、かご状態検出部６により行先階へのかごの到着が検出されると、当該かごに現在乗車中の人数を更新する。
【００２７】
かご割当部５は、利用者によって行先階登録装置１に対する行先階の入力操作が行われ、且つ、割当かごが決定されると、同時乗車人数を示す情報及び乗車済人数を示す情報を出力する。同時乗車人数とは、当該利用者の乗車階で当該割当かごに乗り込む他の利用者の人数である。同時乗車人数は、当該入力操作よりも前に行われた他の入力操作に基づいてカウントされた行先呼び人数である。同時乗車人数には、別の行先階に行く人数も含まれ得る。乗車済人数とは、当該利用者の乗車階へ到着した時点で既に当該割当かごに乗車している人数である。同時乗車人数及び乗車済人数は、例えば、「人数情報」に基づいて算出される。
【００２８】
乗車済人数を示す情報には、例えば、乗車済人数のうち乗車階で割当かごから降車する人数を示す情報が含まれてもよい。乗車済人数を示す情報には、例えば、乗車済人数のうち乗車階で割当かごから降車しない人数を示す情報が含まれてもよい。乗車済人数を示す情報には、例えば、乗車済人数のうち、現時点では乗車していないが、乗車階とは異なる階でこれから割当かごに乗り込む人数を示す情報が含まれてもよい。
【００２９】
報知制御部８は、行先階登録装置１から情報を報知させる。報知制御部８は、例えば、表示部３に視覚情報を表示させる。報知制御部８は、例えば、行先階登録装置１の図示しないスピーカーから音声情報を放送させてもよい。
【００３０】
報知制御部８は、行先階登録装置１に対する行先階の入力操作が行われると、かご割当部５から出力された行先呼び情報、同時乗車人数を示す情報及び乗車済人数を示す情報に基づいて、当該行先階登録装置１の表示部３に情報を表示させる。
【００３１】
報知制御部８は、行先階登録装置１に対する行先階の入力操作が行われると、例えば、行先階及び割当かごを示す情報を当該行先階登録装置１の表示部３に表示させる。
【００３２】
報知制御部８は、行先階登録装置１に対する行先階の入力操作が行われると、例えば、乗車予定人数を示す情報を当該行先階登録装置１の表示部３に表示させる。乗車予定人数は、当該行先階登録装置１の設置階でこれから割当かごに乗り込む人数である。乗車予定人数は、行先呼び人数と同時乗車人数とを合わせた人数である。報知制御部８は、例えば、乗車予定人数を示す情報として、行先呼び人数を示す情報と同時乗車人数を示す情報とを別個に表示させてもよい。
【００３３】
報知制御部８は、行先階登録装置１に対する行先階の入力操作が行われると、例えば、乗車済人数を示す情報を当該行先階登録装置１の表示部３に表示させる。報知制御部８は、例えば、乗車済人数を示す情報と併せて乗車定員を示す情報を表示させてもよい。報知制御部８は、例えば、乗車済人数を示す情報として、当該行先階登録装置１の設置階で降車する人数と降車しない人数とを別個に表示させてもよい。報知制御部８は、例えば、乗車済人数を示す情報として、割当かごに現在乗車中の人数と当該行先階登録装置１の設置階とは異なる階でこれから乗車する人数とを別個に表示させてもよい。
【００３４】
報知制御部８は、例えば、行先階、割当かご、乗車予定人数及び乗車済人数等を示す情報を表示させる際に、少なくとも一部が重複する内容を音声アナウンスで放送させてもよい。
【００３５】
上述した通り、行先階登録装置１に対する行先階の入力操作に連動して、行先呼び人数が変化する。行先呼び人数が変化すると、乗車予定人数が変化する。乗車予定人数が変化した場合、割当かごが変更され得る。割当かごが変更された場合、同時乗車人数及び乗車済人数が変化する。つまり、報知制御部８は、行先階登録装置１に対する行先階の入力操作に連動して、当該行先階登録装置１から報知される情報を逐一変化させる。
【００３６】
図３は、実施の形態１における群管理装置の動作例を示すフローチャートである。
【００３７】
行先階登録装置１は、行先階の入力操作を検出すると、当該行先階を示す情報を群管理装置４に送信する（ステップＳ１０１）。群管理装置４は、行先階登録装置１の設置階から行先階への行先呼びを登録する（ステップＳ１０２）。群管理装置４は、この時点で、行先呼び人数を１人としてカウントする（ステップＳ１０３）。この１人とは、例えば、入力操作を行っている操作者である。
【００３８】
群管理装置４は、現時点での乗車予定人数が乗車可能なかごが有るか否かを判定する（ステップＳ１０４）。乗車予定人数が乗車可能なかごとは、例えば、乗車済人数のうち行先階登録装置１の設置階で降車しない人数に乗車予定人数を追加しても乗車定員を超過しないかごである。
【００３９】
ステップＳ１０４で、乗車予定人数が乗車可能なかごが有ると判定された場合、群管理装置４は、乗車予定人数が乗車可能なかごの中から最適なかごを行先呼びに割り当てる（ステップＳ１０５）。ステップＳ１０５に続いて、群管理装置４は、行先階、割当かご名、乗車予定人数及び乗車済人数を行先階登録装置１に表示させる（ステップＳ１０６）。
【００４０】
群管理装置４は、行先階の入力操作が１秒継続したか否かを判定する（ステップＳ１０７）。２回目以降のステップＳ１０７の処理においては、前回の判定タイミングから更に１秒継続しているか否かが判定される。
【００４１】
ステップＳ１０７で、行先階の入力操作が１秒継続したと判定された場合、群管理装置４は、行先呼び人数を１人追加する（ステップＳ１０８）。ステップＳ１０８の後は、ステップＳ１０４の処理が行われる。ステップＳ１０４以降の処理が繰り返される場合、行先階の入力操作が継続された時間に応じて、行先呼び人数が１人ずつ追加される。
【００４２】
例えば、操作者が行先階に対応するボタンを４秒以上５秒未満の間操作した場合、操作者１人と同伴者４人の計５人が行先呼び人数としてカウントされる。この場合、ステップＳ１０５では、この５人と同時乗車人数とを足した人数が乗車可能なかごが割り当てられる。
【００４３】
ステップＳ１０７で、行先階の入力操作が１秒継続していないと判定された場合、群管理装置４は、行先階登録装置１の表示を一定時間後に消去する（ステップＳ１０９）。
【００４４】
ステップＳ１０４で、乗車予定人数が乗車可能なかごが無いと判定された場合、群管理装置４は、例えば、乗車予定人数、及び、全員乗車可能なかごが無い旨を行先階登録装置１に表示させる（ステップＳ１１０）。ステップＳ１１０の後は、ステップＳ１０７の処理が行われる。
【００４５】
ステップＳ１１０では、例えば、全員が乗車可能ではないかごのうち、なるべく空いているかごを割り当ててもよい。ステップＳ１１０では、例えば、しばらく待ってからの再操作を促す情報を表示してもよい。ステップＳ１１０では、例えば、現在乗車中である他の利用者の行先呼びに応答し終わった後に乗車予定人数が乗車可能となるかごを割り当ててもよい。
【００４６】
図４は、実施の形態１における行先階登録装置の動作を説明するための第１の図である。図５は、実施の形態１における行先階登録装置の動作を説明するための第２の図である。図５は、図４に例示する入力操作に応じて表示部３に情報が表示される様子を例示している。
【００４７】
図５は、図４に示すように４階ボタンが操作された場合に、Ｂ号機が割り当てられ、同じ階で既にＢ号機が割り当てられていた他の利用者が２人存在し、Ｂ号機が到着したときかご内に居る３人は降車しない場合を示している。
【００４８】
図５に示すように、行先階を示す情報は、例えば、「４階」のように表示される。図５に示すように、割当かごを示す情報は、例えば、「Ｂ号機」のように表示される。図５に示すように、割当かごの乗車定員を示す情報は、例えば、「乗車定員：１６名」のように表示される。
【００４９】
図５に示すように、乗車予定人数のうち行先呼び人数を示す情報は、例えば、「あなた:１名」のように表示される。図５に示すように、乗車予定人数のうち同時乗車人数を示す情報は、例えば、「同時乗車：２名」のように表示される。
【００５０】
図５に示すように、行先階、割当かご及び行先呼び人数を示す情報は、例えば、「４階行きＢ号機に１名登録します。」のようにメッセージとしても表示される。
【００５１】
図５に示すように、乗車済人数のうち行先階登録装置１の設置階で降車しない人数を示す情報は、例えば、「乗車済:３名」のように表示される。乗車済人数のうち行先階登録装置１の設置階で降車する人数を示す情報は、例えば、当該人数が０人である場合には表示されない。
【００５２】
図５に示すように、各種人数を示す情報は、例えば、文字情報だけでなく視覚的な記号でも表示される。当該記号は、例えば、人間の形を単純な絵柄で表現したアイコン等である。当該記号は、対応する人数と同じ個数だけ表示される。
【００５３】
図６は、実施の形態１における行先階登録装置の動作を説明するための第３の図である。図７は、実施の形態１における行先階登録装置の動作を説明するための第４の図である。図７は、図６に例示する入力操作に応じて表示部３に情報が表示される様子を例示している。
【００５４】
図７は、図６に示すように６階ボタンが操作された場合に、Ａ号機が割り当てられ、Ａ号機が到着したときかご内に居る３人のうち２人が降車せず１人が降車する場合を示している。
【００５５】
図６に示すように、乗車済人数のうち行先階登録装置１の設置階で降車する人数を示す情報は、例えば、「降車：１名」のように表示される。
【００５６】
図８は、実施の形態１における行先階登録装置の動作を説明するための第５の図である。図９は、実施の形態１における行先階登録装置の動作を説明するための第６の図である。図９は、図８に例示する入力操作に応じて表示部３に情報が表示される様子を例示している。
【００５７】
図９は、図８に示すように９階ボタンが操作された場合に、Ｄ号機が割り当てられ、５階で既にＤ号機が割り当てられていた他の利用者が２人存在し、現時点でＤ号機のかご内には３人居るという場合を示している。
【００５８】
図９に示すように、乗車済人数のうち他の階でこれから割当かごに乗り込む人数を示す情報は、例えば、「５階から乗車：２名」のように表示される。
【００５９】
図１０は、実施の形態１における行先階登録装置の動作を説明するための第７の図である。図１１は、実施の形態１における行先階登録装置の動作を説明するための第８の図である。
【００６０】
図１０は、５階ボタンが１秒未満の間操作された時点でＣ号機が割り当てられ、Ｃ号機が到着したときかご内には２人居るという場合を示している。
【００６１】
図１１は、図１０の状態から５階ボタンの操作が継続され、操作時間が３秒以上４秒未満となった時点での状態を示している。この場合、行先呼び人数が４人に増加する。例えば、操作者を含めて４人のグループが５階へ移動しようとする場合、このような操作が行われる。
【００６２】
図１２は、実施の形態１における行先階登録装置の動作を説明するための第９の図である。図１３は、実施の形態１における行先階登録装置の動作を説明するための第１０の図である。
【００６３】
図１２は、８階ボタンが１秒未満の間操作された時点でＢ号機が割り当てられ、同じ階で既にＢ号機が割り当てられていた他の利用者が３人存在し、Ｂ号機が到着したときかご内には１０人居るという場合を示している。
【００６４】
図１３は、図１２の状態から８階ボタンの操作が継続され、操作時間が３秒以上４秒未満となった時点での状態を示している。この場合、行先呼び人数が４人に増加したことで、Ｂ号機の到着時に降車しない人数と乗車予定人数との合計が乗車定員を超過したため、改めてＤ号機が割り当てられる。この変更は、３人以下のグループであればＢ号機を割り当てることが最適であるが、４人以上のグループであればＤ号機を割り当てることが最適となることを意味する。
【００６５】
図１４は、実施の形態１における行先階登録装置に表示される内容が変化する様子を示す第１の図である。図１５は、実施の形態１における行先階登録装置に表示される内容が変化する様子を示す第２の図である。図１６は、実施の形態１における行先階登録装置に表示される内容が変化する様子を示す第３の図である。図１７は、実施の形態１における行先階登録装置に表示される内容が変化する様子を示す第４の図である。図１８は、実施の形態１における行先階登録装置に表示される内容が変化する様子を示す第５の図である。図１９は、実施の形態１における行先階登録装置に表示される内容が変化する様子を示す第６の図である。
【００６６】
図１４から図１９は、８階ボタンの操作が開始されてから操作時間が１秒以上２秒未満となる時点までの表示部３の表示内容の経時変化を例示している。
【００６７】
８階ボタンの操作が開始されると、表示部３の表示内容は、図１４から図１５に変化する。図１５は、１つ目の視覚的な記号の表示が開始された状態を示している。１つ目の視覚的な記号は、図１５から図１７の順に示すように、左側から右側に向かって移動する。８階ボタンの操作が継続されていると、操作時間が１秒以上となった時点で、図１８に示すように、２つ目の視覚的な記号の表示が開始される。２つ目の視覚的な記号は、図１８から図１９の順に示すように、左側から右側に向かって移動する。図１９は、８階ボタンの操作時間が１秒以上２秒未満となった時点での状態を示している。つまり、報知制御部８は、例えば、図１４から図１９の順に示すように、行先呼び人数がカウントされている様子をアニメーションで表現する。
【００６８】
図２０は、実施の形態１における行先階登録装置の概観図の他の例である。図２０に示す行先階登録装置１は、操作部２を除いて、図１に示す行先階登録装置１と同様である。
【００６９】
図２０は、テンキータイプの行先階登録装置１を示している。図２０に示す操作部２は、０から９までのそれぞれの数字に対応したボタンを有する。エレベーターの利用者は、例えば、図２０に示す操作部２を用いて、行先階を表す１桁又は２桁以上の数字を入力する。この場合であっても、例えば、最終桁の数字の入力操作を階床ボタンの入力操作と捉えれば、上述した説明と同様に行先呼び人数をカウントすることが可能である。つまり、かご割当部５は、例えば、最終桁の数字の入力操作が途切れずに継続された期間に応じて行先呼び人数をカウントすればよい。
【００７０】
実施の形態１において、かご割当部５は、例えば、行先階登録装置１に対する行先階の入力操作に基づいて、複数のかごの中から割当かごを決定する。報知制御部８は、例えば、行先階登録装置１に対して行先階の入力操作が行われた場合に、割当かごを示す情報及び当該行先階登録装置１の設置階での乗車予定人数を当該行先階登録装置１に表示させる。報知制御部８は、例えば、行先階登録装置１に対する行先階の入力操作に連動して、当該行先階登録装置１に表示される乗車予定人数を逐一増加させる。このため、行先階登録装置に対する操作が人数のカウントに影響を与えることを利用者に認識させることができる。その結果、利用者の人数が正確にカウントされるような入力操作を誘発できる。
【００７１】
実施の形態１において、報知制御部８は、例えば、行先階登録装置１に対する同一の行先階の入力操作が途切れずに継続された期間に応じて、当該行先階登録装置１に表示される乗車予定人数を逐一増加させる。このため、人数を入力するための専用のボタン等を行先階登録装置に設けることなく、簡単な構成で、利用者の人数をカウントできる。
【００７２】
実施の形態１において、報知制御部８は、例えば、行先階登録装置１に対して行先階の入力操作が行われた場合に、乗車予定人数として、当該入力操作に基づく行先呼び人数と当該入力操作よりも前に当該行先階登録装置１に対して行われた他の入力操作に基づく同時乗車人数とを別個に当該行先階登録装置１に表示させる。報知制御部８は、当該行先階登録装置１に表示される行先呼び人数を当該入力操作に連動して逐一増加させる。このため、行先階登録装置に対する操作が人数のカウントに影響を与えることを利用者に認識させることができる。
【００７３】
実施の形態１において、報知制御部８は、例えば、行先階登録装置１に対して行先階の入力操作が行われた場合に、当該行先階登録装置１の設置階への割当かごの到着時における乗車済人数として、当該階で降車する人数と当該階で降車しない人数とを別個に当該行先階登録装置１に表示させる。このため、乗場に居る利用者に対して割当かごの混雑状況を認識させることができる。
【００７４】
実施の形態１において、かご割当部５は、例えば、行先階登録装置１の設置階への割当かごの到着時における乗車済人数のうち当該階で降車しない人数と乗車予定人数との合計が割当かごの乗車定員を超過した場合に、割当かごを変更する。このため、一部の利用者がかごに乗り切れなくなることを防止できる。また、行先階登録装置に対する操作が人数のカウントに影響を与えることを利用者に認識させることができる。
【００７５】
実施の形態１において、報知制御部８は、例えば、行先階登録装置１に表示される乗車予定人数を増加させる際に、人数を示す視覚的な記号をアニメーションさせる。このため、行先階登録装置に対する操作が人数のカウントに影響を与えることを直感的に理解させることができる。
【００７６】
実施の形態１において、行先呼び人数のカウントを１人増加させるために必要な操作部２の操作時間は、例えば、１秒以外の時間に設定されてもよい。また、例えば、操作部２の操作時間に応じて行先呼び人数をカウントする機能を無効として、行先階の入力操作が行われた回数を行先呼び人数としてカウントする方式としてもよい。
【００７７】
実施の形態１において、報知制御部８は、例えば、行先階登録装置１に設けられてもよい。この場合であっても、行先呼び情報、同時乗車人数を示す情報及び乗車済人数を示す情報等を群管理装置４から行先階登録装置１に送信すれば、上述した説明と同様の動作を行うことができる。
【００７８】
図２１は、群管理装置のハードウェア構成図である。
【００７９】
群管理装置４におけるかご割当部５、かご状態検出部６、人数記憶部７及び報知制御部８の各機能は、処理回路により実現される。処理回路は、専用ハードウェア５０であってもよい。処理回路は、プロセッサ５１及びメモリ５２を備えていてもよい。処理回路は、一部が専用ハードウェア５０として形成され、更にプロセッサ５１及びメモリ５２を備えていてもよい。図２１は、処理回路が、その一部が専用ハードウェア５０として形成され、プロセッサ５１及びメモリ５２を備えている場合の例を示している。
【００８０】
処理回路の少なくとも一部が、少なくとも１つの専用ハードウェア５０である場合、処理回路は、例えば、単一回路、複合回路、プログラム化したプロセッサ、並列プログラム化したプロセッサ、ＡＳＩＣ、ＦＰＧＡ、又はこれらを組み合わせたものが該当する。
【００８１】
処理回路が少なくとも１つのプロセッサ５１及び少なくとも１つのメモリ５２を備える場合、群管理装置４の各機能は、ソフトウェア、ファームウェア、又はソフトウェアとファームウェアとの組み合わせにより実現される。ソフトウェア及びファームウェアはプログラムとして記述され、メモリ５２に格納される。プロセッサ５１は、メモリ５２に記憶されたプログラムを読み出して実行することにより、各部の機能を実現する。プロセッサ５１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰとも呼ぶ。メモリ５２は、例えば、ＲＡＭ、ＲＯＭ、フラッシュメモリー、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等が該当する。
【００８２】
このように、処理回路は、ハードウェア、ソフトウェア、ファームウェア、又はこれらの組み合わせによって、群管理装置４の各機能を実現することができる。なお、行先階登録装置１の各機能も、図２１に示す処理回路と同様の処理回路により実現される。
【産業上の利用可能性】
【００８３】
以上のように、本発明は、行先階登録装置に対する操作に基づいて複数のエレベーターを制御するシステムに利用できる。
【符号の説明】
【００８４】
１  行先階登録装置
２  操作部
３  表示部
４  群管理装置
５  かご割当部
６  かご状態検出部
７  人数記憶部
８  報知制御部
５０  専用ハードウェア
５１  プロセッサ
５２  メモリ
【要約】
行先階登録装置に対する操作が人数のカウントに影響を与えることを利用者に認識させることができるエレベーターの群管理装置を提供する。本発明に係るエレベーターの群管理装置（４）は、エレベーターの乗場に設けられた行先階登録装置（１）に対する行先階の入力操作に基づいて、複数のかごの中から割当かごを決定するかご割当部（５）と、行先階登録装置（１）に対して行先階の入力操作が行われた場合に、割当かごを示す情報及び当該行先階登録装置（１）の設置階での乗車予定人数を当該行先階登録装置（１）に表示させる報知制御部（８）と、を備える。報知制御部（８）は、行先階登録装置（１）に対する入力操作に連動して、当該行先階登録装置（１）に表示される乗車予定人数を増加させる。【図１】
0006436274.tif 000002
【図２】
0006436274.tif 000003
【図３】
0006436274.tif 000004
【図４】
0006436274.tif 000005
【図５】
0006436274.tif 000006
【図６】
0006436274.tif 000007
【図７】
0006436274.tif 000008
【図８】
0006436274.tif 000009
【図９】
0006436274.tif 000010
【図１０】
0006436274.tif 000011
【図１１】
0006436274.tif 000012
【図１２】
0006436274.tif 000013
【図１３】
0006436274.tif 000014
【図１４】
0006436274.tif 000015
【図１５】
0006436274.tif 000016
【図１６】
0006436274.tif 000017
【図１７】
0006436274.tif 000018
【図１８】
0006436274.tif 000019
【図１９】
0006436274.tif 000020
【図２０】
0006436274.tif 000021
【図２１】
0006436274.tif 000022